(57)【要約】【課題】操作者の笑顔を検出することを条件に、様々な対象装置を自動的に起動させる。【解決手段】  ロック制御手段１８は、対象装置１４の起動または対象装置１４の一部の機能の起動を制限する。笑顔認識手段２０は、操作者１６の顔の表情を撮影して、撮影画像３２から操作者１６の笑顔を検出する処理を実行する。ロック制御手段１８が、ロック状態解除条件３０の成立を検出し、笑顔認識手段２０が、撮影画像３２から笑顔を検出したときに、対象装置１４を起動させる。あるいは、対象装置１４の制限されていた機能を起動させる。例えば、建物の出入り口の扉を開放する。あるいは、ロック状態のコンピュータを操作可能な状態にする。ロック解除手段２２は、対象装置のロック状態を解除する処理を実行する。【選択図】図１
2017014806.tif 000002
【特許請求の範囲】
【請求項１】
対象装置の起動または対象装置の一部の機能の起動を制限するロック制御手段と、
操作者の顔の表情を撮影して、撮影画像から上記操作者の笑顔を検出する処理を実行する笑顔認識手段と、
上記ロック制御手段が、ロック状態解除条件の成立を検出し、上記笑顔認識手段が、撮影画像から笑顔を検出したとき、上記対象装置を起動させ、または、上記対象装置の制限されていた機能を起動させてロック状態を解除するロック解除手段を備えたことを特徴とする笑顔連動制御システム。
【請求項２】
上記対象装置は、建物の内部の通路または出入り口を塞いでロック状態から開閉可能な状態に切り替わる扉であることを特徴とする請求項１に記載の笑顔連動制御システム。
【請求項３】
上記対象装置は、コンピュータをロック状態から操作可能状態に起動させる認証手段であることを特徴とする請求項１に記載の笑顔連動制御システム。
【請求項４】
上記対象装置は、タイムカードの挿入を検出して印字可能な状態に切り替わる印字装置であることを特徴とする請求項１に記載の笑顔連動制御システム。
【請求項５】
上記笑顔認識手段が操作者の笑顔を検出できない場合には、操作者に効果音を出力してから、上記ロック制御手段が、上記対象装置のロック状態を解除することを特徴とする請求項１乃至４のいずれかに記載の笑顔連動制御システム。
【請求項６】
上記笑顔認識手段が検出した笑顔の程度を数値化した笑顔度を求める笑顔度判定手段が設けられており、
上記笑顔度が閾値以上の場合に、上記ロック解除手段が、上記対象装置を起動させ、または、上記対象装置の制限されていた機能を起動させてロック状態を解除することを特徴とする請求項１乃至５のいずれかに記載の笑顔連動制御システム。
【請求項７】
上記対象装置がロック状態を解除されたことを示す記録と、上記操作者を特定する識別情報と、上記操作者の笑顔度とを含む操作履歴データを記憶する記憶装置と、
上記記憶装置から上記操作履歴データを読み出して、上記操作者別の笑顔度を示すレポートを表示出力する出力手段を設けたことを特徴とする請求項６に記載の笑顔連動制御システム。
【請求項８】
上記笑顔認識手段は、上記操作者の笑顔を誘導するメッセージまたは特定の効果音を出力し、その後に、上記撮影画像から上記操作者の笑顔を検出する処理を実行することを特徴とする請求項１乃至７のいずれかに記載の笑顔連動制御システム。
【請求項９】
コンピュータを、請求項１乃至８のいずれかに記載の装置として機能させるコンピュータプログラム。
【発明の詳細な説明】
【技術分野】
【０００１】
本発明は、操作者の健康増進のために、各種装置を起動させる場合に笑顔を要求する笑顔連動制御システムに関する。
【背景技術】
【０００２】
人物を写真撮影する場合には、被写体に笑顔の表情を求めるのが一般的である。また、カメラが被写体の表情を判定して、笑顔を検出してからシャッターを動作させるといった技術も開発されている（特許文献１）（特許文献２）（特許文献３）。
【先行技術文献】
【特許文献】
【０００３】
【特許文献１】特開２０１４−２２５７６３ 号公報
【特許文献２】特開 ２０１４−１８３８９８号公報
【特許文献３】特開２０１４−１２８００８ 号公報
【発明の概要】
【発明が解決しようとする課題】
【０００４】
既知の従来の技術には、次のような解決すべき課題があった。
笑顔は、ストレスの解消、免疫力の向上、美容効果、脳の血流増進、自律神経の安定化、血糖値の調整、アルファ波の発生、人間関係の円滑化、というように、様々な良い効果をもたらすといわれている。日常生活でも、企業においても、笑顔を求める環境を作ることが望ましい。特に、企業では、一日中コンピュータや機械設備の操作をしているような従業員にとって、笑顔を作る機会が少なく、環境の改善が望まれている。
上記の課題を解決するために、本発明は、操作者の笑顔を検出することを条件に、様々な対象装置を自動的に起動させるシステムを提供することを目的とする。
【課題を解決するための手段】
【０００５】
以下の構成はそれぞれ上記の課題を解決するための手段である。
【０００６】
＜構成１＞
対象装置の起動または対象装置の一部の機能の起動を制限するロック制御手段と、
操作者の顔の表情を撮影して、撮影画像から上記操作者の笑顔を検出する処理を実行する笑顔認識手段と、
上記ロック制御手段が、ロック状態解除条件の成立を検出し、上記笑顔認識手段が、撮影画像から笑顔を検出したとき、上記対象装置を起動させ、または、上記対象装置の制限されていた機能を起動させてロック状態を解除するロック解除手段を備えたことを特徴とする笑顔連動制御システム。
【０００７】
＜構成２＞
上記対象装置は、建物の内部の通路または出入り口を塞いでロック状態から開閉可能な状態に切り替わる扉であることを特徴とする構成１に記載の笑顔連動制御システム。
【０００８】
＜構成３＞
上記対象装置は、コンピュータをロック状態から操作可能状態に起動させる認証手段であることを特徴とする構成１に記載の笑顔連動制御システム。
【０００９】
＜構成４＞
上記対象装置は、タイムカードの挿入を検出して印字可能な状態に切り替わる印字装置であることを特徴とする構成１に記載の笑顔連動制御システム。
【００１０】
＜構成５＞
上記笑顔認識手段が操作者の笑顔を検出できない場合には、操作者に効果音を出力してから、上記ロック制御手段が、上記対象装置のロック状態を解除することを特徴とする構成１乃至４のいずれかに記載の笑顔連動制御システム。
【００１１】
＜構成６＞
上記笑顔認識手段が検出した笑顔の程度を数値化した笑顔度を求める笑顔度判定手段が設けられており、
上記笑顔度が閾値以上の場合に、上記ロック解除手段が、上記対象装置を起動させ、または、上記対象装置の制限されていた機能を起動させてロック状態を解除することを特徴とする構成１乃至５のいずれかに記載の笑顔連動制御システム。
【００１２】
＜構成７＞
上記対象装置がロック状態を解除されたことを示す記録と、上記操作者を特定する識別情報と、上記操作者の笑顔度とを含む操作履歴データを記憶する記憶装置と、
上記記憶装置から上記操作履歴データを読み出して、上記操作者別の笑顔度を示すレポートを表示出力する出力手段を設けたことを特徴とする構成６に記載の笑顔連動制御システム。
【００１３】
＜構成８＞
上記笑顔認識手段は、上記操作者の笑顔を誘導するメッセージまたは特定の効果音を出力し、その後に、上記撮影画像から上記操作者の笑顔を検出する処理を実行することを特徴とする構成１乃至７のいずれかに記載の笑顔連動制御システム。
【００１４】
＜構成９＞
コンピュータを、構成１乃至８のいずれかに記載の装置として機能させるコンピュータプログラム。
【発明の効果】
【００１５】
＜構成１の効果＞
例えば、出入り口で、出入りを許可された者の資格認証用のカードが正常に読み取られたときに、同時に、その出入り口に設けられた監視カメラによる撮影画像から操作者の笑顔を検出すると、ロック解除手段が動作して、扉を開放する。これにより、出入り口を利用する全ての者に笑顔をつくるきっかけを与えられる。
＜構成２の効果＞
建物の扉は企業の従業員全員が頻繁に使用するので、笑顔の動機付けに効果的である。
＜構成３の効果＞
コンピュータ従事者は、コンピュータの使用開始時に必ず起動操作をするので、笑顔の動機付けに効果的である。
＜構成４の効果＞
タイムカードの印字装置は、企業の従業員全員が朝晩に使用するので、笑顔の動機付けに効果的である。
＜構成５の効果＞
笑顔が検出できなかったときでも、操作者に何か声をかけたり音を聞かせてから、扉を開けることができる。
＜構成６の効果＞
笑顔の程度も問題にすることが望ましい。
＜構成７の効果＞
操作履歴とともに各人の笑顔度を記録し、操作者別の笑顔度を一覧表にして出力すれば、企業の従業員の状態等を把握することもできる。
＜構成８の効果＞
例えば、出入り口にきたとき、笑顔になるきっかけを与える機能を持つ。操作者は効果音を聞いて笑顔になり、出入り口を通過することができる。
【図面の簡単な説明】
【００１６】
【図１】実施例１の笑顔連動制御システムの機能ブロック図である。
【図２】（ａ）は扉４６の例、（ｂ）は印字装置５２の例、（ｃ）はコンピュータ４８の例の説明図である。
【図３】笑顔連動制御システムの動作の具体例を示す説明図である。
【図４】笑顔連動制御システムを動作させるコンピュータプログラムのフローチャートである。
【図５】笑顔連動制御システムの別の実施例のフローチャートである。
【図６】笑顔連動制御システムのさらに別の実施例のフローチャートである。
【発明を実施するための形態】
【００１７】
以下、本発明の実施の形態を実施例毎に詳細に説明する。
【実施例１】
【００１８】
図１は実施例１の笑顔連動制御システムの機能ブロック図である。
本発明のシステムでは、例えば、企業の従業員のほぼ全員が毎日操作するような対象装置１４に、笑顔を要求する機能を設けた。図の例では、対象装置１４として、建物の出入り口に設ける扉４６とタイムカードの印字装置５２と事務処理用や設計用のコンピュータ４８に設けるようにした。また、各装置の制御は、それぞれの装置に組み込まれたコンピュータによるものでもよいが、この実施例では、全ての対象装置１４をネットワークを介してサーバに接続して制御するようにした。このサーバが笑顔連動制御システム１２である。
【００１９】
笑顔連動制御システム１２の演算処理装置１７と記憶装置２９に、その機能ブロックを図解した。演算処理装置１７には、ロック制御手段１８と笑顔認識手段２０とロック解除手段２２と注意喚起処理手段２４と笑顔度判定手段２６と出力手段２８と効果音発生手段４５が設けられている。記憶装置２９には、ロック状態解除条件３０と撮影画像３２とロック状態を解除した記録３４と識別情報３６と笑顔度３８と操作履歴データ４０と効果音４４とが記憶されている。
【００２０】
ロック状態解除条件３０は、例えば、扉を開くために必要な認証データ等を含むデータである。撮影画像３２は、操作者の顔を撮影した画像である。ロック状態を解除した記録３４は、対象装置１４の過去の操作履歴である。識別情報３６は、認証処理のために入力されるデータである。笑顔度３８は、口角の広がり具合等から算出した笑顔の程度を示す数値データである。操作履歴データ４０は、操作により装置を起動したときの履歴であって、操作者や操作時間や笑顔度などのデータを含めるとよい。効果音４４は、操作者が笑顔になるきっかけをつくるための音データである。
【００２１】
ロック制御手段１８は、対象装置１４の起動または対象装置１４の一部の機能の起動を制限する機能を持つ。対象装置１４は、上記のように、建物の出入り口の扉４６やタイムカード５０印字装置５２である。パーソナルコンピュータ４８の起動やスリープ状態の解除にも適用できる。
【００２２】
対象装置１４がパーソナルコンピュータ４８の場合に、その一部の機能というのは、例えば、画像表示機能等を指す。笑顔連動制御システムは、操作者１６の笑顔を検出すると、起動を制限している装置に対して、その制限を解除させるように動作する。起動を制限する装置をロック制御手段１８とし、ロック状態を解除する装置をロック解除手段２２とした。いずれも、対象装置１４を制御するコンピュータ４８のプログラムにより実現することができる。
【００２３】
図２の（ａ）は扉４６の例、（ｂ）は印字装置５２の例、（ｃ）はコンピュータ４８の例の説明図である。
例えば、図２（ａ）に示したものは、建物の内部の通路または出入り口を塞いでロック状態から開閉可能な状態に切り替わる扉４６である。図のように、建物の出入り口で、出入りを許可された者の資格認証用のカードが正常に読み取られたときに、ロック制御手段１８（図１）は、扉４６のロック状態解除条件３０（図１）が成立したと判断する。このとき、同時に、その出入り口に設けられた開閉装置４７に内蔵された監視カメラによる撮影画像３２（図１）から操作者１６の笑顔を検出すると、ロック解除手段２２（図１）が動作して、扉４６を開放する。
【００２４】
また、図２（ｂ）に示すように、例えば、操作者１６がタイムード５０を印字装置５２に挿入したとき、印字装置５２に内蔵された監視カメラに向かって笑顔を見せると、タイムカード５０に印字されるといった制御をする。また、図２（ｃ）に示すように、コンピュータ４８のキーボードを使用して、操作者１６がユーザＩＤとパスワードを入力して笑顔を見せると、パーソナルコンピュータ４８のウインドウが開くといった制御がされる。
【００２５】
図３は、笑顔連動制御システムの動作の具体例を示す説明図である。
既に説明したように、ロック制御手段１８は、ＩＤカード５４から読み取った情報とロック状態解除条件３０の内容とを比較して、認証処理を実行する。そして、ロック状態を解除できると判断すると、笑顔度判定手段２６に処理を移す。笑顔認識手段２０は、操作者１６の顔の表情を撮影して、撮影画像３２から上記操作者１６の笑顔を検出する処理を実行する。
【００２６】
撮影画像３２から操作者１６の笑顔を検出する方法は、操作者１６の静止画像と比較をしても良いが、その場合には、操作者全員の笑顔の静止画像を記憶装置に保存しておかなければならない。ここでは、例えば、動画により口角の変化を監視して、真顔から笑顔になる過程を検出するような制御をする。顔認識をしてから唇の画像を切り出し、それが一定のパタンで変形したと判断すればよい。これには、特許文献１のような既知の技術を利用することができる。このような制御をすると、操作者１６の笑顔の静止画像を記憶装置に記憶させておくことが不要になる。
【００２７】
ロック制御手段１８がロック状態解除条件３０の成立を検出し、上記笑顔認識手段２０が撮影画像３２から笑顔を検出したときに、扉４６を開放する。ロック解除手段２２は、この条件判定をして、対象装置１４の駆動部を起動させる機能を持つ。なお、対象装置１４がコンピュータのような場合には、制限されていたウインドウの表示機能等を起動させてロック状態を解除する機能を持つとよい。コンピュータ４８を使用して業務をする者は、コンピュータ４８の使用開始時に必ず起動操作をするので、笑顔の動機付けに効果的である。
【００２８】
また、顔度判定手段２６は、笑顔の程度を数値化した笑顔度３８を求めて、笑顔度３８が閾値以上の場合に上記のロック解除の許可を出すようにするとよい。例えば、くちびるの変形の程度を大、中、または小と判定して、大と中の場合にロック解除の許可を出すとよい。笑顔と判断できるくちびるの形状を認識する場合と、くちびるが変形していく過程を動画撮影して笑顔と判断する場合があるが、後者の場合のほうが個人差を吸収できて、笑顔の程度の判定も容易になる。
【実施例２】
【００２９】
図４以下は、笑顔連動制御システムを動作させるコンピュータプログラムのフローチャートである。
図１に示したサーバコンピュータを、上記のような笑顔連動制御システム１２として機能させるコンピュータプログラムの具体例を説明する。まず、図４において、ステップＳ１１では、ＩＤカードを読み取って認証処理を開始する。ステップＳ１２では、ロック制御手段１８がロック状態解除条件の判定をする。
【００３０】
ロック制御手段１８は、ステップＳ１３でロック解除可かどうかという判断をする。この判断の結果がイエスのときはステップＳ１４の処理に移行し、ノーのときはステップＳ１１の処理に戻る。ステップＳ１４では、操作者の顔の表情を撮影する。ステップＳ１５では、笑顔認識手段２０が撮影画像から笑顔を検出する。そして、笑顔度判定手段２６がステップＳ１６で笑顔度判定処理をする。
【００３１】
次に、笑顔度判定手段２６は、ステップＳ１７で笑顔度と閾値とを比較する。ステップＳ１８では、この笑顔度が閾値を越えたかどうかという判断をする。この判断の結果がイエスのときはステップＳ１９の処理に移行し、ノーのときはステップＳ１４の処理に戻る。条件を満たさないときは何度も笑顔判定を繰り返す。条件が満たされるとステップＳ１９で対象装置のロック状態を解除する。
【００３２】
出力手段２８は、ステップＳ２０で認証結果を取得し、ステップＳ２１で笑顔度判定結果を取得する。そして、ステップＳ２２で操作履歴データ４０を生成して、記憶装置２９に記憶させる。出力手段２８は、その後、必要に応じて、図示しないディスプレイやプリンタに操作履歴データ４０を印刷出力する。
【００３３】
図５は、笑顔連動制御システムの別の実施例のフローチャートである。
笑顔を検出しないと常にロックを解除しないという制御をすると、出入り口やタイムカード５０印字装置５２のところで渋滞が発生するおそれがある。そこで、この実施例では、笑顔が検出できなかったときには、効果音発生手段４５を動作させて、操作者１６に何か言葉や音を聞かせてから、扉４６を開けるようにする。
【００３４】
効果音発生装置４５は、操作者に、対象装置を操作するときに笑顔になるべきことを気付かせる機能を持つ。また、効果音による条件反射で操作者が笑顔を作れば、それで本来の目的を達成できる。従って、この実施例では、効果音を発生させたらロックを解除する。
【００３５】
図において、ステップＳ３１で、既に説明した認証処理をする。次に、ステップＳ３２で、既に説明した笑顔度判定処理をする。ステップＳ３３では、笑顔度と閾値とを比較する。ステップＳ３４では、笑顔度が閾値を越えたかどうかという判断をする。この判断の結果がイエスのときはステップＳ３６の処理に移行し、ノーのときはステップＳ３５の処理に移行する。
【００３６】
笑顔認識手段２０が操作者１６の笑顔を検出できない場合には、ステップＳ３５で操作者１６に呼びかけのための効果音を出力する。その後、上記ロック制御手段１８が、対象装置１４のロック状態を解除する。ステップＳ３７では、既に説明したように操作履歴データを記憶装置２９に記憶する。
【００３７】
対象装置１４がロック状態を解除されたことを示す記録と、操作者１６を特定する識別情報３６と、操作者１６の笑顔度３８とを含む操作履歴データ４０を記憶装置に記憶させておくとよい。この操作履歴データ４０を読み出して、操作者１６別の笑顔度３８を一覧表にして出力すれば、企業の従業員の状態等を把握することができる。
【００３８】
特に、この実施例では、笑顔を検出できなかった人にもロックを解除したので、管理者は、操作者別レポートを原因解析のための資料として利用することができる。
【００３９】
図６は、笑顔連動制御システムのさらに別の実施例のフローチャートである。
まず、ステップＳ４１で、既に説明したＩＤカード等による認証処理を実行する。次に、ステップＳ４２で、効果音を出力をする。この実施例では、笑顔認識手段２０は、操作者１６の笑顔を誘導する効果音４４を出力してから、撮影画像３２から操作者１６の笑顔を検出する処理を実行する。
【００４０】
効果音４４に、笑顔になるきっかけを与える機能があるとよい。音を聞いて笑顔になり、出入り口を通過する。例えば、タイムカード５０印字装置５２ならば、「おはよう」「とか、「お疲れさん」という音を発生させる。扉４６の場合には、「こんにちは」「ご苦労様」「いらっしゃい」といった音声を発生させる。効果音４４として鳥の声等の心を和ませる音でもよい。
【００４１】
その後ステップＳ４３で、既に説明した笑顔度判定処理をする。ステップＳ４４では、笑顔度と閾値比較をする。ステップＳ４５では、笑顔度が閾値を越えたかどうかという判断をする。この判断の結果がイエスのときはステップＳ４６の処理に移行し、ノーのときはステップＳ４２の処理に戻る。ステップＳ４６では、条件を満たしたものとしてロック状態を解除する。
【符号の説明】
【００４２】
１２  笑顔連動制御システム
１４  対象装置
１６  操作者
１７  演算処理装置
１８  ロック制御手段
２０  笑顔認識手段
２２  ロック解除手段
２４  注意喚起処理手段
２６  笑顔度判定手段
２８  出力手段
２９  記憶装置
３０  ロック状態解除条件
３２  撮影画像
３４  ロック状態を解除した記録
３６  識別情報
３８  笑顔度
４０  操作履歴データ
４４  効果音
４５  効果音発生手段
４６  扉
４７  開閉装置
４８  コンピュータ
５０  タイムカード
５２  印字装置
５４  ＩＤカード
【図１】
2017014806.tif 000003
【図２】
2017014806.tif 000004
【図３】
2017014806.tif 000005
【図４】
2017014806.tif 000006
【図５】
2017014806.tif 000007
【図６】
2017014806.tif 000008